【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
画像検索の効率を向上させる方法であって、
前記第１プロセッサが１つ以上の画像を受信するステップと、
前記第１プロセッサが、クエリを複数のメモリモジュールに送信するステップであって、前記クエリは、前記１つ以上の画像とマッチングする画像のためのメモリの検索に関するものである、ステップと、
前記複数のメモリモジュールの各々のプロセッサインメモリ（ＰＩＭ）が、受信したクエリに応じて、各メモリモジュール内のメモリに記憶された画像の検索を実行するステップと、
各メモリモデルのＰＩＭが、前記検索で得られたマッチング画像を前記第１プロセッサに送信することと、
前記第１プロセッサが、前記複数のメモリモジュールの各々から受信したマッチング画像の結果と、前記１つ以上の画像との比較を実行するステップであって、前記各メモリモジュールのＰＩＭは、前記１つ以上の画像のグローバルディスクリプタを処理して、１つ以上の類似度測定値を得ることと、類似度測定値が閾値を超える１つ以上の画像のローカルディスクリプタを、各メモリモジュールのメモリに記憶された画像と比較してマッチング画像を取得することであって、前記複数のメモリモジュールの各メモリモジュールに記憶された画像が異なる、ことと、によって画像の検索を実行するように構成されている、ステップとを含む、
方法。
【請求項２】
前記少なくとも１つのメモリモジュールの前記メモリに記憶された画像をアップロード及び分類するステップを更に含む、請求項１の方法。
【請求項３】
画像は、前記分類に基づいて、前記複数のメモリモジュールに記憶される、請求項２の方法。
【請求項４】
画像は、同じ分類を有する場合に、同一のメモリモジュールに記憶される、請求項２の方法。
【請求項５】
前記少なくとも１つのメモリモジュールによって実行される画像の検索は、グローバルディスクリプタの計算、ローカルディスクリプタの計算、及び、検証判定を実行するステップを含む、請求項１の方法。
【請求項６】
前記比較は、前記少なくとも１つのメモリモジュールから受信したマッチング画像をランク付けするステップを含む、請求項１の方法。
【請求項７】
前記第１プロセッサが、複数のメモリモジュールから受信したマッチング画像の最終的なランクを構築するステップを更に含む、請求項６の方法。
【請求項８】
画像検索の効率を向上させるプロセッサであって、
マッチング画像に関するクエリを複数のメモリモジュールに送信するように構成された回路であって、前記クエリは、マッチングされる１つ以上の検索画像を含む、回路と、
前記複数のメモリモジュールから検索結果を受信するように構成された回路であって、クエリに応じて前記検索結果が受信される、回路と、
前記複数のメモリモジュールから受信した検索結果の比較を実行するように構成された回路と、を備え、
前記検索結果は、各メモリモジュールの検索を実行する複数のメモリモジュールの各々のプロセッサインメモリ（ＰＩＭ）によって生成され、
前記検索は、１つ以上の検索画像のグローバルディスクリプタを処理して、１つ以上の類似度測定を得ることと、類似度測定値が閾値を超える１つ以上の検索画像のローカルディスクリプタを、各メモリモジュールのメモリに記憶された画像と比較してマッチング画像を取得することであって、前記複数のメモリモジュールの各メモリモジュールに記憶された画像が異なる、ことと、を含む、
プロセッサ。
【請求項９】
前記複数のメモリモジュールの前記メモリに記憶された画像をアップロード及び分類するように構成された回路を更に含む、請求項８のプロセッサ。
【請求項１０】
前記複数のメモリモジュールから受信した検索結果をランク付けするように構成された回路を更に含む、請求項８のプロセッサ。
【請求項１１】
前記検索結果の最終的なランクを構築するように構成された回路を更に含む、請求項１０のプロセッサ。
【請求項１２】
画像検索の効率を向上させるシステムであって、
それぞれメモリ及びプロセッサインメモリ（ＰＩＭ）を含む複数のメモリモジュールと、
前記複数のメモリモジュールと通信可能に接続されたプロセッサと、を備え、
前記プロセッサは、
１つ以上の検索画像を受信するように構成された回路と、
クエリを前記複数のメモリモジュールに送信するように構成された回路であって、前記クエリは１つ以上の検索画像を含む、回路と、
前記検索結果を前記複数のメモリモジュールから受信するように構成された回路と、
前記複数のメモリモジュールから受信した検索結果の比較を実行するように構成された回路と、を含み、
各メモリモジュールのＰＩＭは、
１つ以上の検索画像のグローバルディスクリプタを処理して、１つ以上の類似度測定を得ることと、
類似度測定値が閾値を超える１つ以上の検索画像のローカルディスクリプタを、各メモリモジュールのメモリに記憶された画像と比較して検索結果を取得することであって、前記複数のメモリモジュールの各メモリモジュールに記憶された画像が異なる、ことと、
によって検索を実行するように構成されている、
システム。
【請求項１３】
前記プロセッサは、前記複数のメモリモジュールの前記メモリに記憶された画像をアップロード及び分類するように構成された回路を更に含む、請求項１２のシステム。
【請求項１４】
画像は、前記複数のメモリモジュールの前記メモリに記憶された画像の分類に基づいて、前記複数のメモリモジュールに記憶される、請求項１３のシステム。
【請求項１５】
画像は、同じ分類を有する場合に、同一のメモリモジュールに記憶される、請求項１３のシステム。
【請求項１６】
前記少なくとも１つのメモリモジュールによって実行される画像の検索は、グローバルディスクリプタの計算、ローカルディスクリプタの計算、及び、検証判定を実行することを含む、請求項１２のシステム。
【請求項１７】
前記プロセッサは、前記複数のメモリモジュールから受信した検索結果をランク付けするように構成された回路を更に含む、請求項１２のシステム。
【請求項１８】
前記プロセッサは、前記複数のメモリモジュールから受信した検索結果の最終的なランクを構築するように構成された回路を更に含む、請求項１７のシステム。
【請求項１９】
第１プロセッサと、複数のメモリモジュールと、を有するプロセッサインメモリ（ＰＩＭ）システムにおいて実行される、画像検索の効率を向上させる方法であって、
１つ以上の画像を、これらの画像データによってアップロード及び分類するステップと、
前記画像データの分類に基づいて、前記画像を分割して前記複数のメモリモジュールに記憶するステップと、
前記第１プロセッサが、１つ以上のクエリ画像を受信するステップと、
前記第１プロセッサが、クエリを前記複数のメモリモジュールに送信するステップであって、前記クエリは前記１つ以上のクエリ画像を含む、ステップと、
前記複数のメモリモジュールの各々のＰＩＭが、各メモリモジュール内のメモリに記憶された画像の検索を実行するステップであって、クエリに応じて画像の検索が実行される、ステップと、
前記複数のメモリモジュールの各々が、検索結果を前記第１プロセッサに送信するステップと、
前記第１プロセッサが、前記複数のメモリモジュールからの検索結果の比較を実行するステップと、を含み、
前記画像の検索は、
１つ以上のクエリ画像のグローバルディスクリプタを処理して、１つ以上の類似度測定を得るステップと、
類似度測定値が閾値を超える１つ以上のクエリ画像のローカルディスクリプタを、各メモリモジュールに記憶された画像と比較して前記検索結果を得るステップと、を含む、
方法。
【請求項２０】
画像は、同じ分類を有する場合に、同一のメモリモジュールに記憶される、請求項１９の方法。
【請求項２１】
同一のクラスからの画像は、前記複数のメモリモジュールに分配される、請求項１９の方法。
【請求項２２】
前記同一のクラスからの画像は、隣接するメモリモジュールに分配される、請求項２１の方法。
【請求項２３】
前記複数のメモリモジュールによって実行される画像の検索は、グローバルディスクリプタの計算、ローカルディスクリプタの計算、及び、検証判定を実行するステップを含む、請求項１９の方法。
【請求項２４】
グローバルディスクリプタの計算は、前記１つ以上のクエリ画像と、前記１つ以上のクエリ画像と同一のクラスに存在するものとしてカテゴリ化された複数のメモリモジュール内のメモリに記憶された画像と、を比較するステップを含む、請求項２３の方法。
【請求項２５】
類似度測定値を計算し、前記類似度測定値を閾値と比較するステップを更に含む、請求項２４の方法。
【請求項２６】
前記類似度測定値が前記閾値を超える場合に、ローカルディスクリプタが計算される、請求項２５の方法。
【請求項２７】
命令を記憶するコンピュータ可読記憶媒体であって、
前記命令は、コンピューティングデバイスによって実行されると、
１つ以上のクエリ画像を受信するステップと、
クエリを複数のメモリモジュールに送信するステップであって、前記クエリは前記１つ以上のクエリ画像を含む、ステップと、
前記複数のメモリモジュールの各々のプロセッサインメモリ（ＰＩＭ）が、各メモリモジュール内のメモリに記憶された画像の検索を実行するステップであって、クエリに応じて画像の検索が実行される、ステップと、
前記複数のメモリモジュールから受信した検索結果の比較を実行するステップであって、前記画像の検索は前記複数のメモリモジュールの各ＰＩＭによって実行される、ステップと、
１つ以上のクエリ画像のグローバルディスクリプタを処理して、１つ以上の類似度測定を得るステップと、
類似度測定値が閾値を超える１つ以上のクエリ画像のローカルディスクリプタを、各メモリモジュールに記憶された画像と比較して前記検索結果を得るステップと、
を含む動作を前記コンピューティングデバイスに実行させて、画像検索の効率を向上させる、
コンピュータ可読記憶媒体。
【請求項２８】
前記複数のメモリモジュールの前記メモリに記憶された画像をアップロード及び分類するステップを更に含む、請求項２７のコンピュータ可読記憶媒体。
【請求項２９】
同一のクラスからの画像は、前記複数のメモリモジュールに記憶される、請求項２８のコンピュータ可読記憶媒体。
【請求項３０】
同一のクラスからの画像は、同一のメモリモジュールに記憶される、請求項２８のコンピュータ可読記憶媒体。
【請求項３１】
画像の検索は、グローバルディスクリプタの計算、ローカルディスクリプタの計算、及び、検証判定を実行するステップを含む、請求項２７のコンピュータ可読記憶媒体。
【請求項３２】
前記比較は、前記複数のメモリモジュールから受信した検索結果をランク付けするステップを含む、請求項２７のコンピュータ可読記憶媒体。
【請求項３３】
前記検索結果の最終的なランクを構築するステップを更に含む、請求項３２のコンピュータ可読記憶媒体。